【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
少なくとも1つのクライアントターミナルから、少なくとも1つのターミナルサーバを介してアプリケーションサーバを操作する、アプリケーションサーバを用いた印刷方法において、
少なくとも1つのクライアントターミナル(6)のユーザが開始し、前記アプリケーションサーバ(1)上で起動させた印刷命令が、前記ユーザのセッションが実行されるターミナルサーバに送信され、続いて、クライアントターミナル(6)で設定されているデスクトッププリンタ(7)によって印刷され、かつ/またはクライアントターミナル(6)でローカルに設定されているネットワークプリンタでプリントアウトされ、かつ/またはクライアントターミナル(6)の光学インターフェイスを経由して出力されることを特徴とする方法。
【請求項２】
アプリケーションサーバ(1)上で起動された印刷命令が、ユーザセッションが実行されているターミナルサーバ(4)を中継として、クライアントターミナル(6)に転送されることを特徴とする請求項1に記載の方法。
【請求項３】
アプリケーションサーバ(1)上で起動された印刷命令が、その印刷命令が開始されたユーザセッションに埋め込まれることを特徴とする請求項1または2のいずれか一項に記載の方法。
【請求項４】
ユーザが開始した印刷命令と共に、クライアントターミナル(6)にログインしているユーザに関する情報を、アプリケーションサーバ(1)に伝送することを特徴とする前記請求項のいずれか一項に記載の方法。
【請求項５】
ユーザセッションが実行されているターミナルサーバ(4)を確定するために、少なくとも1つのターミナルサーバ(4)のリモート呼び出しを行うことを特徴とする前記請求項のいずれか一項に記載の方法。
【請求項６】
印刷命令をユーザの印刷フォルダに書き込むことによって、その印刷命令をユーザのターミナルセッションに埋め込むことを特徴とする請求項3から5のいずれか一項に記載の方法。
【請求項７】
アプリケーションサーバ(1)で起動された印刷命令が、スプールサーバ(2)を中継として、決定されたターミナルサーバ(4)に導かれることを特徴とする前記請求項のいずれか一項に記載の方法。
【請求項８】
スプールサーバ(2)が、決定されたターミナルサーバ(4)に、Line Printer Remote (LPR)を用いて印刷命令を送ることを特徴とする請求項7に記載の方法。
【請求項９】
少なくともユーザセッションが実行されているターミナルサーバ(4)からクライアントターミナル(6)への印刷データの伝送を、帯域幅制御し、かつ/または圧縮し、かつ/または暗号化して、行うことを特徴とする前記請求項のいずれか一項に記載の方法。
【請求項１０】
少なくともユーザセッションがその上で走っているターミナルサーバ(4)からクライアントターミナル(6)への印刷データの伝送を、Independent Computing Architectureプロトコル(ICAプロトコル)またはRemote Desktop Protocol (RDP)を用いて行うことを特徴とする前記請求項のいずれか一項に記載の方法。
【請求項１１】
少なくとも1つのアプリケーションサーバと、少なくとも1つのターミナルサーバと、少なくとも1つのクライアントターミナルとを含み、前記少なくとも1つのアプリケーションサーバと、少なくとも1つのターミナルサーバと、少なくとも1つのクライアントターミナルとが、データ伝送手段によって互いに接続されている、アプリケーションサーバを経由した印刷システムにおいて、
前記少なくとも1つのクライアントターミナル(6)のユーザが開始し、アプリケーションサーバ(1)上で起動させた印刷命令を、前記ユーザのセッションが実行されるターミナルサーバに送信し、続いて、前記クライアントターミナル(6)で設定されているデスクトッププリンタ(7)によってプリントアウトし、かつ/またはクライアントターミナル(6)でローカルに設定されているネットワークプリンタでプリントアウトし、かつ/またはクライアントターミナル(6)の光学インターフェイスを経由して出力するように構成されていることを特徴とするシステム。
【請求項１２】
データ伝送手段によって形成された、少なくとも1つのアプリケーションサーバ(1)と少なくとも1つのターミナルサーバ(4)の間の通信接続が、少なくとも1つのスプールサーバ(2)を含むことを特徴とする請求項11に記載のシステム。
【請求項１３】
データ伝送手段によって形成された、少なくとも1つのアプリケーションサーバ(1)と少なくとも1つのターミナルサーバ(4)の間の通信接続が、少なくとも1つの印刷専用サーバ(3)を含むことを特徴とする請求項11または12のいずれか一項に記載のシステム。
【請求項１４】
データ処理装置の記憶手段にロードされた後に、前記データ処理装置が、アプリケーションサーバ(1)を経由した印刷方法を実行できるようにするコンピュータプログラムであって、
アプリケーションサーバ(1)が、少なくとも1つのクライアントターミナル(6)から、少なくとも1つのターミナルサーバ(4)を介して操作され、また少なくとも1つのクライアントターミナル(6)のユーザが開始し、アプリケーションサーバ(1)上で起動させた印刷命令が、前記ユーザのセッションが実行されるターミナルサーバに送信され、続いて、クライアントターミナル(6)で設定されているデスクトッププリンタ(7)によってプリントアウトされ、かつ/またはクライアントターミナル(6)でローカルに設定されているネットワークプリンタでプリントアウトされ、かつ/またはクライアントターミナル(6)の光学インターフェイスを経由して出力されるコンピュータプログラム。
【請求項１５】
コンピュータプログラムが複数のプログラムモジュールを含んでおり、少なくとも1つのプログラムモジュールが、
少なくとも1つのアプリケーションサーバ(1)、
少なくとも1つのターミナルサーバ(4)、
少なくとも1つのクライアントターミナル(6)、
少なくとも1つのスプールサーバ(2)、および/または
少なくとも1つの印刷専用サーバ(3)
にインストールされることを特徴とする請求項14に記載のコンピュータプログラム。
【請求項１６】
データ処理装置の記憶手段にロードされた後に、前記データ処理装置が、アプリケーションサーバ(1)を経由した印刷方法を実行できるようにするプログラムが格納されているコンピュータ読み取り可能な記憶媒体であって、
アプリケーションサーバ(1)が、少なくとも1つのクライアントターミナル(6)から、少なくとも1つのターミナルサーバ(4)を介して操作され、また少なくとも1つのクライアントターミナル(6)のユーザが開始し、アプリケーションサーバ(1)上で起動させた印刷命令が、前記ユーザのセッションが実行されるターミナルサーバに送信され、続いて、クライアントターミナル(6)で設定されているデスクトッププリンタ(7)によってプリントアウトされ、かつ/またはクライアントターミナル(6)でローカルに設定されているネットワークプリンタでプリントアウトされ、かつ/またはクライアントターミナルの光学インターフェイスを経由して出力される、コンピュータ読み取り可能な記憶媒体。
【請求項１７】
請求項14または15のいずれか一項に記載のコンピュータプログラムを、例えばインターネットのような電子データ網から、そのデータ網に接続されたデータ処理装置にダウンロードする方法。